(57)【特許請求の範囲】
【請求項１】
内部にフロッピーディスクが回転自在に収納されたフロッピーディスク・カートリッジと、
上記フロッピーディスク・カートリッジが挿入及び排出されるカートリッジホルダーと、
シャーシ上にスライド自在に取り付けられたスライド板のスライドによって上記カートリッジホルダーをアンローディング位置とローディング位置との間で垂直方向に昇降駆動するカートリッジローディング機構と、
上記シャーシ上に垂直状に取り付けられ、上記ローディング位置へ垂直に下降された上記フロッピーディスク・カートリッジが水平状に載置される合計４つの位置決めピンを備え、
上記カートリッジローディング機構が、
上記カートリッジホルダーの左右両側板部の前後２箇所にそれぞれ２つずつ設けられた４つのガイドピン及びその左右両側板部の前後方向の中央付近に１つずつ設けられた合計２つのガイド突起と、
上記スライド板の左右両側板部の前後２箇所にそれぞれ２つずつ設けられて上記合計４つのガイドピンを駆動する合計４つの傾斜ガイド溝と、
上記シャーシの左右両側板部にそれぞれ１つずつ設けられて上記合計２つのガイド突起を案内する合計２つの垂直ガイド溝とによって構成されたフロッピーディスク・ドライブにおいて、
上記フロッピーディスク・カートリッジが上記カートリッジホルダーによって上記アンローディング位置から上記ローディング位置へ垂直に下降された時に、そのフロッピーディスク・カートリッジの上記合計４つの位置決めピンのほぼ真上位置を上方から押圧する合計４つのカートリッジ押圧部を、上記カートリッジホルダーの天板部に形成された３つの突起と、その天板部に取り付けられた１つのバネ部材の１つの突起とによって構成し、
上記スライド板の合計４つの傾斜ガイド溝のうちの上記１つのバネ部材の１つの突起の近傍位置に配置されている１つの傾斜ガイド溝の溝幅をその傾斜ガイド溝内に係合されている上記１つのガイドピンの直径より大きく構成した
ことを特徴とするフロッピーディスク・ドライブ。
【請求項２】
上記３つの突起を上記カートリッジホルダーの天板部にプレス加工し、
上記バネ部材を板バネで構成して、その板バネに１つの突起をプレス加工した
ことを特徴とする請求項１に記載のフロッピーディスク・ドライブ。
【発明の詳細な説明】
【０００１】
【発明の属する技術分野】
本発明は、フロッピーディスク・カートリッジ内のフロッピーディスクにデータを記録及び／又は再生するフロッピーディスク・ドライブの技術分野に属するものである。
【０００２】
【従来の技術】
従来から、図２３〜図２６に示すフロッピーディスク・カートリッジＦＤＣを使用して、その内部のフロッピーディスク１にデータを記録及び／又は再生する図１１〜図２２に示すフロッピーディスク・ドライブＦＤＤがある。
まず、図２３〜図２６に示すフロッピーディスク・カートリッジＦＤＣは、直径が３．５インチの磁気シートからなるフロッピーディスク１をステンレス板からなる円板であるセンターコア２の外周に接着していて、このフロッピーディスク・カートリッジＦＤＣは、合成樹脂によって成形された上下シェル３、４によって扁平で、ほぼ方形状のカートリッジ５を構成し、そのカートリッジ５内にフロッピーディスク１を回転自在に収納している。
【０００３】
そして、フロッピーディスク１のセンターコア２が下シェル４の中央に形成されたセンターコア穴６内に遊嵌されていて、矢印ａで示すカートリッジ５の後述するフロッピーディスクドライブＦＤＤ内への挿入方向側の端部である前端面５ａとセンターコア穴６との間で、上下シェル３、４にはカートリッジセンターＰ1 に沿った長穴状の上下一対のヘッド挿入穴７が形成されている。そして、これら上下一対のヘッド挿入穴７を開閉するために上下一対の水平板部８ａ、８ｂと前端垂直板部８ｃとによって断面形状がコ字状に形成されたシャッター８がカートリッジ５の上下両面５ｅ、５ｆ及び前端部５ａの外側にほぼコ字状に形成されているシャッタースライド用凹所１８内にスライド自在に配置されていて、このシャッター８が前端面５ａに沿って上記挿入方向である矢印ａ方向に対して直角な方向である矢印ｃ、ｄ方向にスライド自在に取り付けられている。なお、このシャッター８は内蔵されたシャッターバネ８ｄによって閉蓋位置まで矢印ｃ方向にスライド付勢されている。そして、このカートリッジ５の下シェル４で、前端面５ａ側に偏位された位置には真円形状穴と長円形状穴からなる左右一対の位置決め用の基準穴９が形成されていて、このカートリッジ５の左右両側面５ｂ、５ｃで、下シェル４の前端面５ａ側に近接された位置には左右一対の半円形状の凹部１０が形成されている。そして、このカートリッジ５の前端面５ａと一方の側面である右側面５ｂとのコーナー１１ａには上下シェル３、４全体を４５°にカットしたいわゆるＣ面である誤挿入防止用の斜面１２が形成されている。また、このカートリッジ５の後端面５ｄと他方の側面である左側面５ｃとのコーナー１１ｂには誤消去防止用のライトプロテクタ−１３が組み込まれていて、その後端面５ｄと一方の側面である右側面５ｂとのコーナー１１ｃには容量識別穴１４が形成されている。
【０００４】
そして、これら上下シェル３、４の内壁面３ｂ、４ｂにはほぼ馬蹄形状に裁断された不織布である上下一対のクリーニングシート１５が接着等にて敷設されていて、これら上下一対のクリーニングシート１５をフロッピーディスク１の上下両面に上下から弾性的に接触させるためのリフター１６が上下シェル３、４内の何れか一方（又は両方）に接着等にて取り付けられている。従って、このフロッピーディスク１は上下一対のクリーニングシート１５間で上下から挟まれてカートリッジ５の下面５ｆからほぼＨ1 ／２の高さのディスク面位置で回転駆動されるように構成されている。そして、シャッター８の上下一対の水平板部８ａ、８ｂに上下シェル３、４に形成されている上下一対のヘッド挿入穴７に対向された長穴形状の上下一対のシャッター穴８ｅが形成されている。また、カートリッジ５の上下シェル３、４の上下両面５ｅ、５ｆには後端面５ｄを迂回する形状のラベル貼付用凹所１７が形成されている。
【０００５】
次に、図１１〜図２２に示すように、フロッピーディスク・ドライブＦＤＤは、板厚が厚い板金のプレス加工やアルミニウム合金等にてダイカスト成形（鋳造）されたメカシャーシであるシャーシ４１の上下に板厚が薄い板金によってプレス加工された上下カバー４２、４３を脱着自在に取り付け、これらのフロント側にモールド部品（プラスチックの成形品）で構成されたフロントパネル４４を脱着自在に取り付けて、扁平な直方体形状のドライブ本体４５を構成している。そして、フロントパネル４４の上端側には横長形状のカートリッジ挿入口４６が形成されていて、そのカートリッジ挿入口４６の内側には内開き方式の開閉蓋４７が取り付けられている。また、このフロントパネル４４の下部側の左右両側位置にはイジェクト釦４８及びドライブの動作状態を表示する発光表示部４９が取り付けられている。
【０００６】
そして、このドライブ本体４５の内部で、フロントパネル４４側におけるシャーシ４１の上部にはスピンドルモータ５１及びその上部に搭載されているディスクテーブル５３が配置されている。なお、このディスクテーブル５３はスピンドル５２のロータの上面に形成されていて、そのディスクテーブル５３の上面にはチャッキング用のマグネットシート５４や回転駆動ピン２５等が取り付けられている。そして、フロントパネル４４側におけるシャーシ４１の上部には板金等で構成されたカートリッジホルダー５６と、そのカートリッジホルダー５６をアンローディング位置とローディング位置との間で平行運動によって矢印ｇ、ｈ方向に昇降駆動するための板金等で構成されたスライド板５７を有するカートリッジローディング機構５８が組み込まれている。そして、フロントパネル４４側とは反対側である後端側におけるシャーシ４１の上部には上下一対の磁気ヘッド１０１が取り付けられたヘッドキャリッジ１０２を矢印ａ、ｂ方向に移送するリニアアクチュエータ（ボイスコイルモータ）１０３が組み込まれている。なお、スピンドルモータ５１及び上下一対の磁気ヘッド１０１のＲ／Ｗギャップがフロッピーディスク１にデータを記録及び／又は再生するためのスキャニング位置（シーク位置）であるスキャニングセンターＰ2 上に配置されている。そして、上側磁気ヘッド１０１が取り付けられたヘッドアーム１０４がヘッドキャリッジ１０２に上下方向に回転自在に取り付けられていて、このヘッドアーム１０４は回転付勢手段（図示せず）によって下方側へ回転付勢されてカセットホルダー５６上にスライド自在に載置されている。
【０００７】
そして、シャーシ４１の下部にはモータ基板５９、メイン基板６０及びスイッチ基板６１等の複数の回路基板が水平状にビス止めされていて、シャーシ４１の後端には外部インターフェース６２がマウントされたインターフェース基板６３が水平状にビス止めされている。そして、シャーシ４１の上部で、カートリッジホルダー５６の四隅の下部位置には合計４つの位置決めピンである左右各一対の位置決め用基準ピン６４と高さ基準ピン６５が垂直状に取り付けられている。そして、左右一対の位置決め用基準ピン６４は上端面が水平状の高さ基準面６４ａに形成され、その高さ基準面６４ａの中央上部に円錐状の位置決めピン６４ｂが一体成形されていて高さ基準ピンに兼用されている。そして、左右一対の高さ基準ピン６５の上端面は水平状の高さ基準面６５ａに形成されている。そして、スイッチ基板６１の上部にマウントされたプッシュスイッチからなるカートリッジ挿入検出スイッチ６６、誤消去防止用検出スイッチ６７、容量検出スイッチ６８等がシャーシ４１及びスライド板５７を貫通してカートリッジホルダー５６の下部に露出されている。なお、イジェクト釦４８によってＯＮされるイジェクトスイッチ７０がスイッチ基板６１の前端部（フロントパネル４４側の端部）の下面にマウントされている。
【０００８】
なお、シャーシ４１は水平な底板部４１ａと、その左右両側から上方に垂直状に立ち上げられた左右両側板部４１ｂを有しており、スピンドルモータ５１はモータ基板５９によってシャーシ４１の底板部４１ａの下部に合計３つのスペーサを介してビス止めされている。そして、このスピンドルモータ５１の上部に搭載されているディスクテーブル５３が底板部４１ａに形成された開口７２を挿通してその底板部４１ａの上方に突出されている。また、カートリッジホルダー５６は水平な天板部５６ａと、その左右両側から下方に垂直に立ち下げられた左右両側板部５６ｂと、その左右両側板部５６ｂの下端から内側に水平状に折り返された左右一対の底板部５６ｃとによって全体として扁平なほぼコ字状に形成されていて、フロッピーディスク・カートリッジＦＤＣがこのカートリッジホルダー５６内に矢印ａ、ｂ方向から水平に出し入れされるように構成されている。そして、このカートリッジホルダー５６の天板部５６ａのフロントパネル４４側とは反対側である後端側の中央部にはヘッド挿入用開口７３が切り欠かれていて、ヘッドアーム１０４の左右両側に一体成形された左右一対のスライドアーム１０５がその開口７３の左右両側縁の上部に矢印ａ、ｂ方向にスライド自在に載置されている。また、スライド板５７もシャーシ４１と同様に水平な底板部５７ａと、その底板部５７ａの左右両側から垂直状に立ち上げられた左右両側板部５７ｂを有している。そして、このスライド板５７はその底板部５７ｂに形成された合計４つのガイド溝７４によって合計４つの位置決め用基準ピン６４及び高さ基準ピン６５にスライド自在に係合されていて、このスライド板５７はシャーシ４１の底板部４１ａ上にてアンローディング位置Ｐ11とローディング位置Ｐ12との間に矢印ａ、ｂ方向にスライド自在に構成されている。
【０００９】
そして、カートリッジローディング機構５８は、カートリッジホルダー５６の左右両側板部５６ｂの前後両端に円筒状に絞り加工（バーリング加工）等によって形成された合計４つのガイドピン７５と、スライド板５７の左右両側板部５７ｂに形成されて、合計４つのガイドピン７５がスライド自在に係合された合計４つの傾斜ガイド溝７６と、カートリッジホルダー５６の左右両側板５６ｂの前後方向のほぼ中央部に一体に形成した左右一対のガイド突起７７と、シャーシ４１の左右両側板部４１ｂの内側面に形成されて、左右一対のガイド突起７７が上下方向である矢印ｇ、ｈ方向にスライド自在に係合された左右一対の垂直ガイド溝７８とによって構成されている。なお、左右一対のガイド突起７７と左右一対の垂直ガイド溝７８によってカートリッジホルダー５６をシャーシ４１内で前後方向（矢印ａ、ｂ方向）及び左右方向（矢印ｂ、ｃ方向）の動きを規制するための左右一対のガイド機構が構成されている。そして、スライド板５７はシャーシ４１との間に取り付けられたスライド付勢手段である引張りコイルバネ７９によって前方である矢印ｂ方向にスライド付勢されていて、シャーシ４１の後端側（フロントパネル４４の反対側）で、その底板部４１ａ上の一側部はギアードモータで構成されたイジェクトモータ８０が取り付けられている。そして、このイジェクトモータ８０にはイジェクト駆動ピン８１が偏心位置に形成されているイジェクト用カム８２が取り付けられていて、スライド板５７の一方の側板部５７ｂの後端から後方に延出されたイジェクト用アーム部８３をイジェクト用駆動ピン８１が駆動するように構成されている。そして、シャーシ４１の底板部４１ａ上でイジェクトモータ８０の前側位置（フロントパネル４４側の位置）にはシャッター開閉レバーを兼用しているトリガーレバー８４が支点ピン８５を中心に図１４に実線で示すロック位置と１点鎖線で示すロック解除位置との間で矢印ｉ、ｊ方向に回転自在に取り付けられていて、回転付勢手段（図示せず）によってロック位置まで矢印ｉ方向に回転付勢されている。そして、このトリガーレバー８４がスライド板５７に形成された被ロック部８６をロック及びロック解除するように構成されている。
【００１０】
そして、このカートリッジローディング機構５８によれば、図１４及び図１７に示すように、スライド板５７が引張りコイルバネ７９に抗して後方のアンローディング位置Ｐ11まで矢印ａ方向にスライドされた状態で、その被ロック部８６に係合されたトリガーレバー８４によってロックされていて、そのスライド板５７の合計４つの傾斜ガイド溝７８によってカートリッジホルダー５６の合計４つのガイドピン７５が上方である矢印ｈ方向に押し上げられて、左右一対のガイド突起７７を左右一対の垂直ガイド溝７８で案内しながら、カートリッジホルダー５６をカートリッジ挿入口４６と同一高さの上昇位置であるアンローディング位置Ｐ13まで平行運動によって上昇駆動している。そして、トリガーレバー８４が図１４に実線で示すロック位置から１点鎖線で示すロック解除位置へ矢印ｊ方向に回転されると、そのトリガーレバー８４によるスライド板５７のロックが解除されて、このスライド板５７が図１７に示すアンローディング位置Ｐ11から前方のローディング位置Ｐ12まで引張りコイルバネ７９によって矢印ｂ方向にスライドされて、そのスライド板５７の合計４つの傾斜ガイド溝７８によってカートリッジホルダー５６の合計４つのガイドピン７５が下方である矢印ｇ方向に押し下げられて、左右一対のガイド突起７７を左右一対の垂直ガイド溝７８で案内しながら、カートリッジホルダー５６をアンローディング位置Ｐ13の下方に設定された下降位置である図１８の（Ａ）に実線で示すローディング位置Ｐ14まで矢印ｇ方向に平行運動によって下降駆動する。なお、この時、図１４に示すように、シャーシ４１の底板部４１ａ上に取り付けられてスライド板５７に形成されているラック８７に係合されているダンパー８８のダンピング作用によってスライド板５７は低速で矢印ｂ方向にスライドされ、カートリッジホルダー５６がアンローディング位置からローディング位置まで静かに下降駆動されるように構成されている。
【００１１】
そして、イジェクトモータ８０によってイジェクト用カム８２が図１８の（Ａ）に示す位置から１回転駆動されると、そのイジェクト用駆動ピン８１が図１８の（Ｂ）及び（Ｃ）に示すようにスライド板５７のイジェクト用アーム部８３を引っ掛けて、そのスライド板５７を引張りコイルバネ７９に抗してアンローディング位置Ｐ12から後方のローディング位置Ｐ11まで矢印ａ方向にスライド駆動されて、カートリッジホルダー５６が図１８の（Ａ）に示すローディング位置Ｐ14から図１７に示すアンローディング位置Ｐ13へ平行運動によって矢印ｈ方向に上昇駆動され、トリガーレバー８４が図１４に１点鎖線で示すロック解除位置から実線で示すロック位置８４へ矢印ｉ方向に自動復帰されるトリガーレバー８４によってスライド板５７がそのアンローディング位置Ｐ13で再び自動ロックされるように構成されている。なお、図１３に示すように、カートリッジホルダー５６の天板部５６ａの後端側の一側部にはカートリッジ誤挿入防止レバー８９が支点ピン９０を中心に矢印ｋ、ｍ方向に回転自在に取り付けられていて、このカートリッジ誤挿入防止レバー８９が天板部５６ａとの間に取り付けられた回転付勢手段である引張りコイルバネ９１によって矢印ｋ方向に回転付勢されている。また、カートリッジホルダー５６の天板部５６ａの左右両側位置には板バネ等で構成された左右一対のカートリッジ圧着用バネ９２が取り付けられている。そして、以上のように構成されたこのフロッピーディスク・ドライブＦＤＤは下カバー４３によってコンピューター機器等の内部シャーシに取り付けられるように構成されていて、シャーシ４１全体が下カバー３の上部にビス９４によって取り付けられている合計４つのインシュレーター９３によってその下カバー４３の上部に弾性的に支持されて、外部振動等に対するフロッピーディスク・ドライブＦＤＤの耐振性が実行されている。
【００１２】
このフロッピーディスク・ドライブＦＤＤは以上のように構成されていて、フロッピーディスク・カートリッジＦＤＣをカートリッジ挿入口４６から水平状に挿入してローディングし、内部のフロッピーディスク１にデータを記録及び／又は再生することができるように構成されている。
即ち、図１３、図１４及び図１７に１点鎖線で示すように、フロッピーディスク・カートリッジＦＤＣをカートリッジ挿入口４６からアンローディング位置Ｐ13に上昇されているカートリッジホルダー５６内に矢印ａ方向に水平に挿入すると、カートリッジ５の前端面５ａでトリガーレバー８４がロック位置からロック解除位置まで矢印ｊ方向に回転され、この間に、このトリガーレバー８４によってこれらのシャッター８がシャッターバネ８ｄに抗して開蓋される。そして、トリガーレバー８４がロック解除位置まで矢印ｊ方向に回転された瞬間に、引張りコイルバネ７９によって図１７に示すアンローディング位置Ｐ11から図１８の（Ａ）に示すローディング位置Ｐ12まで矢印ｂ方向へスライド駆動されるカートリッジホルダー５６によってフロッピーディスク・カートリッジＦＤＣがアンローディング位置Ｐ13から図１８に示すローディング位置Ｐ14へ矢印ｇ方向に下降駆動されて、フロッピーディスク・カートリッジＦＤＣがそのローディング位置Ｐ14に水平にローディングされる。そして、上下一対の磁気ヘッド１０１がフロッピーディスク・カートリッジＦＤＣの上下一対のヘッド挿入穴７内に上下両側から挿入されてフロッピーディスク１の上下両面に接触され、ヘッドキャリッジ１０２のヘッドアーム１０４の左右一対のスライドアームは相対的にカートリッジホルダー５６の天板部５６ａの上方に逃がされる。
【００１３】
なお、フロッピーディスク・カートリッジＦＤＣをカートリッジ挿入口４６から正しく挿入した時には、カートリッジ誤挿入防止レバー８９が斜面１２によって矢印ｍ方向に回転して逃げることによって、フロッピーディスク・カートリッジＦＤＣの挿入を可能にしている。一方、フロッピーディスク・カートリッジＦＤＣがカートリッジ挿入口４６から誤挿入（上下や前後に反転された誤った向きで挿入されること）された時には、そのカートリッジ誤挿入防止レバー８９がフロッピーディスク・カートリッジＦＤＣの挿入を禁止することができる。
【００１４】
そして、ローディング位置Ｐ14にローディングされたフロッピーディスク・カートリッジＦＤＣは合計４つの位置決め用基準ピン６４及び高さ基準ピン６５上に引張りコイルバネ７９のバネ力によって水平に圧着されて位置決めされ、カートリッジ挿入検出スイッチ６６によってこれらのローディング完了状態が検出されると共に、フロッピーディスク・カートリッジＦＤＣの誤消去防止の有無やこれらのフロッピーディスク１の記録容量が容量検出スイッチ６８によって検出される。なお、この際、図２２に示すように、フロッピーディスク・カートリッジＦＤＣの前端面５ａ側の左右一対の基準穴９がシャーシ４１上の左右一対の位置決め用基準ピン６４の位置決めピン６４ｂに上方から挿入されて、その位置決め用基準ピン６４の高さ基準面６４ａ上に水平に載置されると共に、そのフロッピーディスク・カートリッジＦＤＣの後端面５ｄ側の左右２箇所が左右一対の高さ基準ピン６５の基準面６５ａ上に水平に載置されて、フロッピーディスク・カートリッジＦＤＣが水平方向及び垂直方向の２方向に対して不動状態に正確に位置決めされて、フロッピーディスク１がディスクテーブル５３に対してセンターリングされる。そして、フロッピーディスク１のセンターコア２がカートリッジ５のセンターコア穴６内に下方から相対的に挿入されたディスクテーブル５３上にマグネットシート２４によってチャッキングされて、そのセンターコア２の中心穴２ａがスピンドル５２に嵌合されると共に、これらの回転駆動ピン嵌合穴２ｂが回転駆動ピン２５に嵌合される。そして、フロッピーディスク１がスピンドルモータ５１によって所定の回転速度で回転駆動されると共に、リニアアクチュエータ１０３によってヘッドキャリッジ１０２が矢印ａ、ｂ方向に移送されることにより、上下一対の磁気ヘッド１０１がスキャニングセンターＰ2 に沿って矢印ａ、ｂ方向にシークされて、フロッピーディスク１にデータを記録及び／又は再生することになる。
【００１５】
そして、このようにして、フロッピーディスク１にデータを記録及び／又は再生した後に、イジェクト釦４８を押すと、イジェクトスイッチ７０がＯＮされて、イジェクトモータ８０によってイジェクト用カム８２が１回転駆動され、カートリッジホルダー５６が図１４に示す引張りコイルバネ７９に抗して図１８のＡ）に示すローディング位置Ｐ12から図１７に示すアンローディング位置Ｐ11まで矢印ａ方向にスライド駆動されて、フロッピーディスク・カートリッジＦＤＣが図１８の（Ａ）に示すローディング位置Ｐ14から図１７に示すアンローディング位置Ｐ12までカートリッジホルダー５６によって矢印ｈ方向に上昇駆動される。そして、図１４に１点鎖線で示すロック解除位置から実線で示すロック位置まで矢印ｉ方向に回転されるトリガーレバー８４によってフロッピーディスク・カートリッジＦＤＣがカートリッジ挿入口４６から図１９に１点鎖線で示すように矢印ｂ方向に押し出されると共に、シャッター８がシャッターバネ８ｄによって閉蓋される。
【００１６】
ところで、この従来のフロッピーディスク・ドライブＦＤＤでは、図５〜図８、図１９及び図２２に示すように、カートリッジホルダー５６の天板部５６ａで、シャーシ４１上の左右各一対の位置決め用基準ピン６４及び高さ基準ピン６５のほぼ真上相当位置に合計４つのカートリッジ押圧部９６が形成されていて、この合計４つのカートリッジ押圧部９６はプレス加工によって天板部５６ａの下面にほぼ半球面状に打ち出し成形された合計４つの突起（いわゆるダボ）で構成されていた。
【００１７】
そして、図２２に示すように、カートリッジホルダー５６によってフロッピーディスク・カートリッジＦＤＣがローディング位置へ矢印ｇ方向からローディングされて、前端面５ａ側の左右一対の基準穴９がシャーシ４１上の左右一対の位置決め用基準ピン６４の位置決めピン６４ｂの外周に挿入されて位置決めされると共に、その位置決め用基準ピン６４の位置決めピン６４ｂの外周の高さ基準面６４ａ上に水平に載置され、そのフロッピーディスク・カートリッジＦＤＣの後端面５ｄ側の左右２箇所が左右一対の高さ基準ピン６５の上端の高さ基準面６５ａ上に水平に載置された時に、図１４に示されている引張りコイルバネ７９のバネ力によってカートリッジホルダー５６の天板部５６ａの下面の合計４つの突起９７で、これら合計４つの位置決め用基準ピン６４及び高さ基準ピン６５のほぼ真上位置からフロッピーディスク・カートリッジＦＤＣを下方である矢印ｇ方向に押圧することにより、そのフロッピーディスク・カートリッジＦＤＣをこれら合計４つの位置決め用基準ピン６４及び高さ基準ピン６５上に水平状に固定して、内部のフロッピーディスク１を基準高さ位置に設定するように構成していた。
【００１８】
【発明が解決しようとする課題】
この際、前述したように、フロッピーディスク・カートリッジＦＤＣ内のフロッピーディスク１は上下一対のクリーニングシート１５によって上下から挟み込まれている構造上の特徴を有しているために、合計４つの位置決め用基準ピン６４及び高さ基準ピン６５の合計４つの高さ基準面６４ａ、６５ａ上にフロッピーディスク・カートリッジＦＤＣの４箇所を正して押圧することによって、初めて、内部のフロッピーディスク１を基準高さ位置に正しく設定することができることになる。
【００１９】
しかし、従来のように、カートリッジホルダー５６の天板部５６ａの下面にプレス加工した合計４つの突起９７でフロッピーディスク・カートリッジＦＤＣの４箇所を上方から矢印ｇ方向に押圧しようとした場合、正確には、その合計４つの突起９７のうちの３つはフロッピーディスク・カートリッジＦＤＣを下方に押圧することができるが、何れか１つの突起９７はフロッピーディスク・カートリッジＦＤＣを下方へ押圧することができなくなる。そこで、カートリッジホルダー５６を弾性変形させながら、合計４つの突起９７の全部で無理やりフロッピーディスク・カートリッジＦＤＣを下方へ押圧しようとすると、合計４つのガイドピン７５と傾斜ガイド溝７６との間に大きな摩擦力が発生してしまい、スライド板５７を図１８で矢印ｂ方向へスライド駆動するためのスライド駆動力を非常に大きく設定しなければならなくなり、引張りコイルバネ７９のバネ力の増大やイジェクト時にスライド板５７を矢印ａ方向へスライド駆動するためのイジェクトモータ８０のトルク増大等を講じなければならなくなる。そして、このことはフロッピーディスク・ドライブＦＤＤの大型、大重量化等を招いてしまうことになる。
【００２０】
そこで、次に、図９及び図１０に示すように、カートリッジホルダー５６の天板部５６ａの左右両側部の上部に左右一対の板バネ９８を加締めピン９９等にて平行状に加締め止めし、これら左右一対の板バネ９８の前後両端部の下面側にほぼ半球面状に打ち出し加工した合計４つの突起（いわゆるダボ）１００によってフロッピーディスク・カートリッジＦＤＣの４箇所を上方から合計４つの高さ基準面６４ａ、６５ａ上に弾性的に圧するようにしたものが開発されている。
【００２１】
このように、左右一対の板バネ９８の前後両端の合計４つの突起１００でフロッピーディスク・カートリッジＦＤＣの４箇所を上方から押圧する構造は、押圧力自体に差はあるものの、その４つの突起１００の全部でフロッピーディスク・カートリッジＦＤＣを合計４つの高さ基準面６４ａ、６５ａ上に押圧することができる。しかし、その反面、左右一対の板バネ９８の前後両端の合計４つの突起１００でフロッピーディスク・カートリッジＦＤＣの４箇所を上方から弾性的に押圧する構造では、その４箇所全部の大きな反力がカートリッジホルダー５６に加えられることになるために、カートリッジホルダー５６に上方である矢印ｈ方向への大きな力が発生してしまい、この場合も、やはり、合計４つのガイドピン７５と傾斜がイド溝７６との間に大きな摩擦力が発生してしまうので、スライド板５７を図１８で矢印ｂ方向へスライド駆動するためのスライド駆動力を非常に大きく設定しなければならなくなる。その上に、この構造では、カートリッジホルダー５６の天板部５６ａ上に左右一対の板バネ９８を加締め止めしなければならないことから、部品点数及び組立工数が多くなってコストアップを招くことになる。
【００２２】
なお、フロッピーディスク・カートリッジＦＤＣを合計４つの位置決め用基準ピン６４及び高さ基準ピン６５の高さ基準面６４ａ、６５ａ上に正しく押圧することができない場合には、内部のフロッピーディスク１を基準高さ位置に正しく設定することができなくなって、フロッピーディスク１と上下一対の磁気ヘッド１０１との高さ関係が変化してしまい、出力低下や最悪の場合には上下一対の磁気ヘッド１０１のエッジ等でフロッピーディスク１の上下両面の磁性層を傷つけてデータを破壊してしまう可能性がある。
【００２３】
本発明は、上記の問題を解決するためになされたものであって、極く簡単な構造で、フロッピーディスク・カートリッジを合計４つの位置決めピン上に正しく押圧して固定することができ、更に、カートリッジホルダーをローディング位置へ垂直に下降駆動するためのスライド板のスライド駆動力を小さく抑えることができるようにしたフロッピーディスク・ドライブを提供することができるようにしたものである。
【００２４】
【課題を解決するための手段】
上記の目的を達成するための本発明のフロッピーディスク・ドライブは、フロッピーディスク・カートリッジがカートリッジホルダーによってアンローディング位置からローディング位置へ垂直に下降された時に、そのフロッピーディスク・カートリッジの合計４つの位置決めピンのほぼ真上位置を上方から押圧する合計４つのカートリッジ押圧部を、カートリッジホルダーの天板部に形成された３つの突起と、その天板部に取り付けられた１つのバネ部材の１つの突起とによって構成し、更に、スライド板の合計４つの傾斜ガイド溝のうちの上記１つのバネ部材の１つの突起の近傍位置に配置されている１つの傾斜ガイド溝の溝幅をその傾斜ガイド溝内に係合されている上記１つのガイドピンの直径より大きく構成したものである。
【００２５】
上記のように構成された本発明のフロッピーディスク・ドライブは、フロッピーディスク・カートリッジがカートリッジホルダーによってアンローディング位置からローディング位置へ垂直に下降された時に、カートリッジホルダーの天板部に形成された３つの突起と、その天板部に固着された１つのバネ部材の１つの突起からなる合計４つのカートリッジ押圧部でフロッピーディスク・カートリッジの合計４つの位置決めピンのほぼ真上位置を上方から押圧するようにしたので、１つの突起を１つのバネ部材による弾性押圧力によってフロッピーディスク・カートリッジに上方から押圧するようにして、合計４つの突起でフロッピーディスク・カートリッジの４箇所全部を合計４つの位置決めピン上に正して押圧することができる。その上、スライド板の合計４つの傾斜ガイド溝のうちの１つのバネ部材の１つの突起の近傍位置に配置されている１つの傾斜ガイド溝の溝幅をその傾斜ガイド溝内に係合されている１つのガイドピンの直径より大きく構成したので、カートリッジホルダーをローディング位置へ垂直に下降駆動するためのスライド板のスライド駆動力を小さく抑えて、フロッピーディスク・ドライブ全体の小型、軽量化を実現できる。
【００２６】
【発明の実施の形態】
以下、本発明を適用したフロッピーディスク・ドライブの実施の形態を図１〜図４を参照して説明する。なお、図５〜図２３と同一構造部には同一の符号を付して説明の重複を省く。
【００２７】
本発明のフロッピーディスク・ドライブＦＤＤでは、まず、カートリッジホルダー５６の天板部５６ａに設けられている４つのカートリッジ押圧部１１１のうちの３つである例えば左右一対の基準ピン６４の２つのほぼ真上位置と左右一対の高さ基準ピン６５の１つのほぼ真上位置の合計３箇所に配置される３つを、その天板部５６ａの下面側へ打ち出し加工されたほぼ半球面状の突起１１２で構成し、残りの１つである例えば左右一対の高さ基準ピン６５の残りの１つの近傍位置に配置される１つのカートリッジ押圧部１１１ａをその天板部５６ａに取り付けられた１つのバネ部材１１３の１つの突起１１４で構成している。そして、ここではバネ部材１１３として１つの板バネ１１５が使用されていて、この板バネ１１５が加締めピン１１６と位置決め用突起１１７によって天板部５６ａの上面上に加締め止めされていて、その板バネ１１５の先端の下面側に１つの突起１１４が打ち出し加工されている。そして、この１つの突起１１４は天板部５６ａに形成された切欠き１１８を挿通してその天板部５６ａの下方に突出されている。
【００２８】
そして、本発明のフロッピーディスク・ドライブＦＤＤでは、次に、スライド板５７の合計４つの傾斜ガイド溝７６のうちの１つの板バネ１１５の突起１１４の近傍位置に配置されている１つの傾斜ガイド溝７６ａの溝幅Ｗ１をその傾斜ガイド溝７６ａ内にスライド自在に係合されている１つのガイドピン７５ａの直径Ｄ１より大きく（Ｗ１＞Ｄ１）構成して、この１つのガイドピン７５ａにその１つの傾斜ガイド溝７６ａ内での遊び２αを持たせている。なお、残りの３つの傾斜ガイド溝７６の溝幅Ｗ２は３つのガイドピン７５の直径Ｄ２とほぼ等しく（Ｗ２≒Ｄ２）構成されていて、これら３つの傾斜ガイド溝７６内での３つのガイドピン７５の遊びは殆んど零に近い状態に構成されている。
【００２９】
本発明のフロッピーディスク・ドライブＦＤＤは以上のように構成されていて、図１〜図４に示すように、前述同様に、シャーシ４１上でスライド板５７が図１４に示すされている引張りコイルバネ７９によって矢印ｂ方向にスライド駆動され、カートリッジホルダー５６の合計２つのガイド突起７７をシャーシ４１の合計２つの垂直ガイド溝７８で垂直方向に案内しつつ、スライド板４１の合計４つの傾斜ガイド溝７６によってカートリッジホルダー５６の合計４つのガイドピン７５を矢印ｇ方向に駆動することにより、カートリッジホルダー５６をローディング位置まで矢印ｇ方向に垂直に下降駆動して、フロッピーディスク・カートリッジＦＤＣを合計４つの基準ピン６４及び高さ基準ピン６５上に水平に載置した時に、カートリッジホルダー５６の天板部５６ａの合計３つの突起１１２と１つの板バネ１１５の１つの突起１１４との合計４つの突起によってフロッピーディスク・カートリッジＦＤＣの４箇所を合計４つの基準ピン６４及び高さ基準ピン６５のほぼ真上位置からこれらの高さ基準面６４ａ、６４ａ上に引張りコイルバネ７９のバネ力によって上方から押圧して固定することができる。
【００３０】
即ち、合計４つの突起１１２、１１４のうちの３つの突起１１２はカートリッジホルダー５６の天板部５６ａにプレス加工されているが、残りの１つの突起１１４は板バネ１１５にプレス加工されているので、その突起１１４には板バネ１１５の弾性押圧力によって上下方向の自由度があるために、天板部５６ａの３つの突起１１２はその天板部５６ａを何等変形させることなく、フロッピーディスク・カートリッジＦＤＣの３点を３つの高さ基準面６４ａ、６５ａ上に正確に上方から押圧して固定することができ、残りの１つの突起１１４も板バネ１１４を弾性押圧力に抗して上方である矢印ｈ方向に撓ませながら、その反力によってフロッピーディスク・カートリッジＦＤＣの残りの１点を残りの１つの高さ基準面６４ａ上等に上方から押圧して固定することができる。
【００３１】
従って、フロッピーディスク・カートリッジＦＤＣの４点（４箇所）全部を合計４つの基準ピン６４及び高さ基準ピン６５上に正しく押圧して固定することができ、内部のフロッピーディスク１を基準高さ位置に正しく設定することができる。この結果、フロッピーディスク１の高さが基準高さ位置の上下にずれたためにフロッピーディスク１と上下一対の磁気ヘッド１０１との高さ関係が変化してしまい、出力低下や最悪の場合には上下一対の磁気ヘッド１０１のエッジ等でフロッピーディスク１の上下両面の磁性層を傷つけてデータを破壊してしまうような不都合を未然に防止することができる。
【００３２】
しかも、この際、スライド板５７に形成されている合計４つの傾斜ガイド溝７６のうち、板バネ１１５の突起１１４の近傍位置に配置されている１つの傾斜ガイド溝７６ａの溝幅Ｗ１をその内部に係合されている１つのガイドピン７５ａの直径Ｄ１より大きく構成して、そのガイドピン７６ａに傾斜ガイド溝７６ａ内での遊び２αを持たせているので、スライド板５７によってカートリッジホルダー５６をローディング位置まで矢印ｇ方向に垂直に下降駆動した時に、その１つの傾斜ガイド溝７６ａは１つのガイドピン７５ａを矢印ｇ方向に押えつけることがない。
【００３３】
従って、１つの板バネ１１５が上方である矢印ｈ方向に撓むことによる反力（但し、板バネ１１５ただ１つだけであるからその反力自体も非常に小さい）がカートリッジホルダー５６に加えられたとしても、その反力は１つの傾斜ガイド溝７６内の１つのガイドピン７５に対する遊び２α内で吸引されてしまい、その反力がその１つのガイドピン７５に直接伝えられることがない。この結果、残りの３つのガイドピン７５と残りの３つの傾斜ガイド溝７６との間に発生する摩擦力を小さく抑えることができるので、スライド板５７を矢印ｂ方向にスライド駆動するためのスライド駆動力を非常に小さく設定することができ、引張りコイルバネ７９のバネ力やイジェクトモータ８０のトルクを小さく抑えることができてフロッピーディスク・ドライブＦＤＤの小型、軽量化を実現できる。
【００３４】
その上に、本発明のフロッピーディスク・ドライブＦＤＤによれば、合計３つの突起のうちの３つの突起１１２をカートリッジホルダー５６の天板部５６ａにプレス加工し、残りの１つの突起１１４だけを板バネ１１５にプレス加工しているので、前述したように、合計４つの突起１００全部を左右一対の板バネ９８の前後両端にプレス加工したものに比べて、部品点数及び組立工数を大幅に削減することができて、大幅なコストダウンを実現できる。
【００３５】
以上、本発明の実施の形態について説明したが、本発明は上記した実施の形態に限定されることなく、本発明の技術的思想に基づいて各種の変更が可能である。例えば、上記した実施の形態では、バネ部材１１３に板バネ１１５を用いたが、捩りコイルバネやモールド部品（合成樹脂成形品）等の弾性変形を使用するものでも、板バネ１１５等と同等の性能を得ることが可能である。また、上記した実施の形態では合計４つの突起１１２、１１４をカートリッジホルダー５６の天板部５６や板バネ１１５の下面側にプレス加工した突起に構成したが、その天板部５６や板バネ１１５の下面に溶着等にて取り付けられるモールド部品等でこれらの突起１１２、１１４を構成してもよい。
【００３６】
【発明の効果】
以上のように構成された本発明のフロッピーディスク・ドライブは、次のような効果を奏することができる。
【００３７】
請求項１は、フロッピーディスク・カートリッジがカートリッジホルダーによってアンローディング位置からローディング位置へ垂直に下降された時に、カートリッジホルダーの天板部に形成された３つの突起と、その天板部に固着された１つのバネ部材の１つの突起からなる合計４つのカートリッジ押圧部でフロッピーディスク・カートリッジの合計４つの位置決めピンのほぼ真上位置を上方から押圧するようにしたので、１つの突起を１つのバネ部材による弾性押圧力によってフロッピーディスク・カートリッジに上方から押圧することにより、合計４つの突起でフロッピーディスク・カートリッジの４箇所全部を合計４つの位置決めピン上に正して押圧することができるようにしたので、フロッピーディスクの記録及び／又は再生時の出力低下やフロッピーディスクの磁性層の傷つきによるデータの破壊等のダメージを未然に防止することができる上に、構造が極く簡単であり、部品点数及び組立工数が少なく、大幅なコストダウンを実現できる。
その上、カートリッジローディング機構のスライド板の合計４つの傾斜ガイド溝のうち、バネ部材の１つの突起の近傍位置に配置されている１つの傾斜ガイド溝の溝幅をそれに係合されているカートリッジホルダーの１つのガイドピンの直径より大きく構成したので、カートリッジホルダーをローディング位置へ垂直に下降駆動するためのスライド板のスライド駆動力を小さく抑えて、フロッピーディスク・ドライブ全体の小型、軽量化を実現できる。
【００３８】
請求項２は、３つの突起を天板部にプレス加工し、バネ部材を板バネで構成して、その板バネに１つの突起をプレス加工したので、製造が簡単であり、部品点数及び組立工数の削減によるより一層のコストダウンを実現できる。
【図面の簡単な説明】
【図１】本発明を適用したフロッピーディスク・ドライブ全体の上カバーを取り外した状態の平面図である。
【図２】フロッピーディスク・カートリッジのローディング状態の図１の要部の平面図である。
【図３】図２のＡ−Ａ矢視での拡大断面図である。
【図４】フロッピーディスク・カートリッジのローディング状態での図２の一部切欠き側面図と要部２箇所の拡大側面図である。
【図５】従来のフロッピーディスク・ドライブの要部の平面図である。
【図６】従来のフロッピーディスク・ドライブのフロッピーディスク・カートリッジのローディング状態での図５のＢ−Ｂ矢視での部分拡大正面図である。
【図７】従来のフロッピーディスク・ドライブのフロッピーディスク・カートリッジのアンローディング状態を説明する平面図及び側面図である。
【図８】従来のフロッピーディスク・ドライブのフロッピーディスク・カートリッジのローディング状態を説明する平面図及び側面図である。
【図９】従来の改良されたフロッピーディスク・ドライブのフロッピーディスク・カートリッジのローディング状態での要部の平面図である。
【図１０】図９のＣ−Ｃ矢視での拡大一部切欠き側面図である。
【図１１】従来のフロッピーディスク・ドライブ全体の外観斜視図である。
【図１２】図１１のフロッピーディスク・ドライブ全体の分解斜視図である。
【図１３】図１１のフロッピーディスク・ドライブ全体の上カバーを取り外した状態の平面図である。
【図１４】図１１のフロッピーディスク・ドライブ全体の上カバー及びカートリッジホルダをーを取り外した状態の平面図である。
【図１５】図１１のフロッピーディスク・ドライブ全体の下面図である。
【図１６】図１１のフロッピーディスク・ドライブ全体の下カバーを取り外した状態の下面図である。
【図１７】図１１のフロッピーディスク・ドライブのカートリッジローディング機構のアンローディング状態の側面図である。
【図１８】図１１のフロッピーディスク・ドライブのカートリッジローディング機構のローディング状態とイジェクトモータによるスライド板のスライド駆動動作を説明する側面図である。
【図１９】図１１のフロッピーディスク・ドライブのカートリッジホルダーの斜視図である。
【図２０】図１１のフロッピーディスク・ドライブのカートリッジローディング機構のスライド板の斜視図である。
【図２１】図１１のフロッピーディスク・ドライブのシャーシの斜視図である。
【図２２】図１１のフロッピーディスク・ドライブのフロッピーディスク・カートリッジのローディング完了状態を説明する一部切欠き側面図と要部２箇所の拡大一部切欠き側面図である。
【図２３】従来のフロッピーディスク・カートリッジの斜視図である。
【図２４】図２３のフロッピーディスク・カートリッジの分解斜視図である。
【図２５】図２３のフロッピーディスク・カートリッジの平面図である。
【図２６】図２３のフロッピーディスク・カートリッジの下面図である。
【符号の説明】
ＦＤＤはフロッピーディスク・ドライブ、ＦＤＣはフロッピーディスク・カートリッジ、１はフロッピーディスク、９は位置決め用基準穴、４１はシャーシ、５６はカートリッジホルダー、５７はスライド板、５８はカートリッジローディング機構、６４は位置決めピンである位置決め用基準ピン、６５は位置決めピンである高さ基準ピン、７５はガイドピン、７５ａはガイドピンの１つ、７６は傾斜ガイド溝、７６ａは傾斜ガイド溝の１つ、７９はスライド付勢手段である引張りコイルバネ、８０はイジェクトモータ、１０１は磁気ヘッド、１０２はヘッドキャリッジ、１１１はカートリッジ押圧部、１１２は３つの突起、１１３は１つのバネ部材、１１４は１つの突起、１１５は板バネである。
【図１】
0004062836.tif 000002
【図２】
0004062836.tif 000003
【図３】
0004062836.tif 000004
【図４】
0004062836.tif 000005
【図５】
0004062836.tif 000006
【図６】
0004062836.tif 000007
【図７】
0004062836.tif 000008
【図８】
0004062836.tif 000009
【図９】
0004062836.tif 000010
【図１０】
0004062836.tif 000011
【図１１】
0004062836.tif 000012
【図１２】
0004062836.tif 000013
【図１３】
0004062836.tif 000014
【図１４】
0004062836.tif 000015
【図１５】
0004062836.tif 000016
【図１６】
0004062836.tif 000017
【図１７】
0004062836.tif 000018
【図１８】
0004062836.tif 000019
【図１９】
0004062836.tif 000020
【図２０】
0004062836.tif 000021
【図２１】
0004062836.tif 000022
【図２２】
0004062836.tif 000023
【図２３】
0004062836.tif 000024
【図２４】
0004062836.tif 000025
【図２５】
0004062836.tif 000026
【図２６】
0004062836.tif 000027